(57)【要約】      （修正有）【課題】結露水によるショートの発生を抑制することができる火炎検知装置およびそれを備えた熱源機を提供する。【解決手段】火炎検知装置は、ケース１０１と、光学的火炎検知素子１０２と、リード線１０３と、コンデンサ１０４とを備えている。ケース１０１は、内部空間ＩＳと、内部空間ＩＳに連通する開口部１０１ａと、内部空間ＩＳに設けられた保持部１０１ｂを有する。光学的火炎検知素子１０２は、ケース１０１の内部空間ＩＳに配置され、かつ開口部１０１ａから露出する。リード線１０３は、光学的火炎検知素子１０２に電気的に接続され、かつ光学的火炎検知素子１０２から開口部１０１ａとは反対側に延びる。コンデンサ１０４は、光学的火炎検知素１０２子に電気的に接続され、かつ内部空間ＩＳにおいてリード線１０３と隙間ＧＰを設けて保持部１０１ｂに保持されている。【選択図】図２
2016023811.tif 000002
【特許請求の範囲】
【請求項１】
内部空間と、前記内部空間に連通する開口部と、前記内部空間に設けられた保持部を有するケースと、
前記ケースの内部空間に配置され、かつ前記開口部から露出する光学的火炎検知素子と、
前記光学的火炎検知素子に電気的に接続され、かつ前記光学的火炎検知素子から前記開口部とは反対側に延びるリード線と、
前記光学的火炎検知素子に電気的に接続され、かつ前記内部空間において前記リード線と隙間を設けて前記保持部に保持されたコンデンサとを備えた、火炎検知装置。
【請求項２】
前記隙間に配置された絶縁材をさらに備えた、請求項１に記載の火炎検知装置。
【請求項３】
前記ケースの外側に設けられたクランプ部と、
前記内部空間で前記リード線に電気的に接続され、前記ケースの外側に突出する電線とをさらに備え、
前記電線は前記クランプ部に挟み込まれている、請求項１または２に記載の火炎検知装置。
【請求項４】
前記クランプ部は、
連結部と、
前記連結部によって互いに対向するように接続された第１および第２の押さえ部とを含み、
前記第１の押さえ部は、第１の延在部と、前記第１の延在部から前記第２の押さえ部に向かって突出する第１の爪部とを含み、
前記第２の押さえ部は、第２の延在部と、前記第２の延在部から前記第１の押さえ部に向かって突出する第２の爪部とを含み、
前記第１の爪部は、前記第１の爪部が突出する方向において前記第２の爪部とずれて配置されている、請求項３に記載の火炎検知装置。
【請求項５】
請求項１〜４のいずれか１項に記載の火炎検知装置と、
燃料を燃焼させて火炎を生じさせるための燃焼装置とを備え、
前記火炎検知装置は、前記火炎を検知可能に前記燃焼装置に取り付けられている、熱源機。
【発明の詳細な説明】
【技術分野】
【０００１】
本発明は、火炎検知装置および熱源機に関するものである。
【背景技術】
【０００２】
熱源機の燃焼装置には、いわゆるガンタイプバーナが用いられることがある。このガンタイプバーナでは、噴霧ノズルから灯油などの燃料が噴霧されるとともに、噴霧ノズルの周りから燃焼用の空気が供給されることによって、拡散火炎による燃焼が生じる。ガンタイプバーナの燃焼の有無を検知するために、火炎検知装置により拡散火炎が検知される。火炎検知装置では、たとえばフォトダイオードなどにより火炎が検知される。
【０００３】
このフォトダイオードの周辺には電子部品が配置されており、フォトダイオードと電子部品とはハーネスを介して電気的に接続されている。このため、フォトダイオードは、電子部品で発生したノイズによる影響を受ける。
【０００４】
このノイズによる影響を抑制する手法として、フォトダイオードにコンデンサを接続して、このコンデンサによりノイズを除去する手法がある。たとえば、特開平７−２２６４２号公報（特許文献１）には、耐ノイズ性を向上することを目的とする光電気変換器が記載されている。この光電気変換器では、フォトダイオードにコンデンサが接続されており、フォトダイオードおよびコンデンサは１つのケース内に収容されている。
【先行技術文献】
【特許文献】
【０００５】
【特許文献１】特開平７−２２６４２号公報
【発明の概要】
【発明が解決しようとする課題】
【０００６】
上記公報に記載されたようにフォトダイオードおよびコンデンサが１つのケース内に収容されていると、フォトダイオードに電気的に接続されたリード線にコンデンサの表面が接触する場合がある。この場合、コンデンサの表面に結露が生じると、コンデンサの表面に付着した結露水によってフォトダイオードに電気的に接続されたリード線間においてショート（短絡）が発生することがある。これにより、フォトダイオードが誤作動するおそれがある。
【０００７】
本発明は、上記の課題を鑑みてなされたものであり、その目的は、結露水によるショートの発生を抑制することができる火炎検知装置およびそれを備えた熱源機を提供することである。
【課題を解決するための手段】
【０００８】
本発明の火炎検知装置は、ケースと、光学的火炎検知素子と、リード線と、コンデンサとを備えている。ケースは、内部空間と、内部空間に連通する開口部と、内部空間に設けられた保持部を有する。光学的火炎検知素子は、ケースの内部空間に配置され、かつ開口部から露出する。リード線は、光学的火炎検知素子に電気的に接続され、かつ光学的火炎検知素子から開口部とは反対側に延びる。コンデンサは、光学的火炎検知素子に電気的に接続され、かつ内部空間においてリード線と隙間を設けて保持部に保持されている。
【０００９】
本発明の火炎検知装置によれば、コンデンサは内部空間においてリード線と隙間を設けて保持部に保持されているため、コンデンサの表面に結露が生じてもコンデンサの表面に付着した結露水によってリード線間においてショートが発生することを抑制することができる。
【００１０】
上記の火炎検知装置は、隙間に配置された絶縁材をさらに備えている。このため、絶縁材によりコンデンサとリード線とが絶縁される。これにより、コンデンサの表面に付着した結露水によってリード線間においてショートが発生することを防止することができる。
【００１１】
上記の火炎検知装置は、ケースの外側に設けられたクランプ部と、内部空間でリード線に電気的に接続され、ケースの外側に突出する電線とをさらに備えている。電線はクランプ部に挟み込まれている。このため、ケースの外側に設けられたクランプ部によって電線を固定することができる。
【００１２】
上記の火炎検知装置においては、クランプ部は、連結部と、連結部によって互いに対向するように接続された第１および第２の押さえ部とを含んでいる。第１の押さえ部は、第１の延在部と、第１の延在部から第２の押さえ部に向かって突出する第１の爪部とを含んでいる。第２の押さえ部は、第２の延在部と、第２の延在部から第１の押さえ部に向かって突出する第２の爪部とを含んでいる。第１の爪部は、第１の爪部が突出する方向において第２の爪部とずれて配置されている。このため、第１の爪部と第２の爪部との間に電線が挟み込まれることにより、電線をしっかりと固定することができる。
【００１３】
本発明の熱源機は、上記の火炎検知装置と、燃料を燃焼させて火炎を生じさせるための燃焼装置とを備えている。火炎検知装置は、火炎を検知可能に燃焼装置に取り付けられている。このため、コンデンサの表面に付着した結露水によってリード線間においてショートが発生することを抑制することができる火炎検知装置を備えた熱源機を得ることができる。
【発明の効果】
【００１４】
以上説明したように、本発明によれば、結露水によるショートの発生を抑制することができる火炎検知装置およびそれを備えた熱源機を提供することができる。
【図面の簡単な説明】
【００１５】
【図１】本発明の一実施の形態における火炎検知装置の構成を概略的に示す斜視図である。
【図２】図１に示す火炎検知装置のケースを開けた状態を示す斜視図である。
【図３】フォトダイオードの構成を概略的に示す断面図である。
【図４】図１のＩＶ−ＩＶ線に沿う断面図である。
【図５】図４のＰ部を示す拡大図である。
【図６】本発明の一実施の形態における火炎検知装置の変形例の構成を概略的に示す断面図である。
【図７】本発明の一実施の形態におけるクランプ部の構成を概略的に示す斜視図である。
【図８】本発明の一実施の形態におけるクランプ部の開口方向から見た構成を概略的に示す斜視図である。
【図９】本発明の一実施の形態における火炎検知装置が対象物に取り付けられた状態を概略的に示す斜視図である。
【図１０】本発明の一実施の形態における熱源機の構成を概略的に示す概略図である。
【図１１】本発明の一実施の形態における火炎検知装置が燃焼装置に取り付けられた構成を概略的に示す部分破断断面図である。
【図１２】図１１に示す火炎検知装置が燃焼装置の火炎を検知する様子を示す図である。
【発明を実施するための形態】
【００１６】
以下、本発明の一実施の形態について図に基づいて説明する。
まず本実施の形態の火炎検知装置の構成について説明する。
【００１７】
図１および図２を参照して、本実施の形態の火炎検知装置１００は、ケース１０１と、光学的火炎検知素子１０２と、リード線１０３と、コンデンサ１０４と、端子１０５と、電線１０６と、接続金具１０７と、クランプ部ＣＰとを主に有している。
【００１８】
ケース１０１は略円柱形状を有している。ケース１０１の先端部はケース１０１の軸方向に屈曲している。ケース１０１は、第１のケース部ＣＡ１と、第２のケース部ＣＡ２と、第１のケース部ＣＡ１と第２のケース部ＣＡ２とをつなぐ接続部ＣＡ３とを有している。ケース１０１は、接続部ＣＡ３を介して第１のケース部ＣＡ１と第２のケース部ＣＡ２とを開閉可能に構成されている。
【００１９】
ケース１０１は、内部空間ＩＳと、開口部１０１ａと、保持部１０１ｂと、挿通部１０１ｃと、受け部１０１ｄと、係止部１０１ｅと、取付け部１０１ｆとを有している。ケース１０１は光学的火炎検知素子１０２と、リード線１０３と、コンデンサ１０４と、端子１０５と、電線１０６の一部とを内部空間ＩＳに収容可能に構成されている。内部空間ＩＳはケース１０１の外壁によって取り囲まれた空間である。
【００２０】
開口部１０１ａは内部空間ＩＳに連通している。開口部１０１ａは光学的火炎検知素子１０２をケース１０１の外側に露出させるためのものである。開口部１０１ａはケース１０１の軸方向にケース１０１を貫通する貫通孔である。開口部１０１ａはケース１０１の軸方向の一端に形成されている。
【００２１】
保持部１０１ｂは内部空間ＩＳに設けられている。保持部１０１ｂはコンデンサ１０４を保持するためのものである。保持部１０１ｂは、仕切り部ＷＰの一部に形成されている。仕切り部ＷＰは、ケース１０１の外壁から内部空間ＩＳに突出し、ケース１０１の軸方向に延在している。仕切り部ＷＰにより内部空間ＩＳが仕切られている。保持部１０１ｂはケース１０１の外壁から内部空間ＩＳ側に突出している。保持部１０１ｂは、ケース１０１の軸方向の略中央に形成されている。
【００２２】
挿通部１０１ｃは内部空間ＩＳに連通している。挿通部１０１ｃは電線１０６をケース１０１外に引き出すためものである。挿通部１０１ｃはケース１０１の軸方向にケース１０１を貫通する貫通孔である。挿通部１０１ｃはケース１０１の軸方向の一端とは反対側の他端に形成されている。
【００２３】
受け部１０１ｄは、係止部１０１ｅを係止させためのものである。受け部１０１ｄは孔ＳＰを取り囲むように形成されている。受け部１０１ｄは、ケース１０１の外壁から外側に突出しており、ケース１０１の径方向に延在している。受け部１０１ｄは第１のケース部ＣＡ１に設けられている。
【００２４】
係止部１０１ｅは、ケース１０１の外壁から外側に突出しており、ケース１０１の径方向に交差する方向に延在している。係止部１０１ｅは先端に突起部ＰＰを有している。突起部ＰＰは係止部１０１ｅから外側に突出している。係止部１０１ｅは第２のケース部ＣＡ２に設けられている。係止部１０１ｅはケース１０１が閉じた状態で孔ＳＰに挿入されるように形成されている。係止部１０１ｅが孔ＳＰに挿入された状態で突起部ＰＰは受け部１０１ｄに係止されるように形成されている。つまり、係止部１０１ｅの突起部ＰＰが受け部１０１ｄに係止されることによりケース１０１は閉じた状態となり、係止部１０１ｅの突起部ＰＰが受け部１０１ｄに係止されないことによりケース１０１は開いた状態となることができる。
【００２５】
取付け部１０１ｆは、火炎検知装置１００を対象物に取り付けるためのものである。取付け部１０１ｆはケース１０１の外壁から外側に突出しており、ケース１０１の径方向に交差する方向に延在している。取付け部１０１ｆは互いに並んで延在する２つの柱状部を有している。２つの柱状部の間にネジの軸部が挿入され、２つの柱状部にネジの頭部が当接された状態でネジ締めすることにより取付け部１０１ｆを対象物にネジ止めすることができる。
【００２６】
光学的火炎検知素子１０２は、ケース１０１の内部空間ＩＳに配置されている。光学的火炎検知素子１０２はケース１０１の軸方向の一端の近傍に配置されている。光学的火炎検知素子１０２は開口部１０１ａから露出している。光学的火炎検知素子１０２は、光学的に火炎を検知可能に構成されている。光学的火炎検知素子はたとえばフォトダイオードである。このフォトダイオードはフォトＩＣダイオードであってもよい。
【００２７】
リード線１０３は光学的火炎検知素子１０２に電気的に接続されている。リード線１０３は光学的火炎検知素子１０２から開口部１０１ａとは反対側に延びている。リード線１０３は、第１のリード線１０３ａと第２のリード線１０３ｂとを有している。第１のリード線１０３ａと第２のリード線１０３ｂとは互いに並行に配置されている。第１のリード線１０３ａと第２のリード線１０３ｂとの間に仕切り部ＷＰが配置されている。
【００２８】
図３を参照して、本実施の形態の光学的火炎検知素子１０２としてのフォトＩＣダイオードとリード線１０３の構成について詳しく説明する。フォトＩＣダイオードは、モールド樹脂１０２ａと、ＩＣチップ１０２ｂと、ダイボンド樹脂１０２ｃと、ボンディングワイヤ１０２ｄと、リード部１０２ｅとを有している。
【００２９】
モールド樹脂１０２ａはＩＣチップ１０２ｂを封止している。モールド樹脂１０２ａはたとえばエポキシ樹脂であり透明な樹脂である。モールド樹脂１０２ａは円柱状に形成されている。ＩＣチップ１０２ｂは、受光部を有しており、モールド樹脂１０２ａの径方向の中心において図中矢印方向から火炎を検知可能に構成されている。ＩＣチップ１０２ｂはダイボンド樹脂１０２ｃによってリード部１０２ｅに接続されている。ダイボンド樹脂１０２ｃは、たとえばエポキシ樹脂に銀を混合した樹脂である。ＩＣチップ１０２ｂは、たとえば金からなるボンディングワイヤ１０２ｄによってリード部１０２ｅに電気的に接続されている。
【００３０】
リード部１０２ｅはリード線１０３と電気的に接続されている。具体的にはリード部１０２ｅはリード線１０３と一体に形成されている。リード線１０３はモールド樹脂１０２ａに接合材２００によって接合されている。接合材２００はたとえばはんだである。
【００３１】
再び図１および図２を参照して、コンデンサ１０４は、ノイズを除去するためのものである。コンデンサ１０４は、光学的火炎検知素子１０２に電気的に接続されている。コンデンサ１０４は、内部空間ＩＳにおいて保持部１０１ｂに保持されている。コンデンサ１０４は、保持部１０１ｂがケース１０１の外壁から内部空間ＩＳ側に突出する方向において、第１のリード線１０３ａおよび第２のリード線１０３ｂの上方に配置されている。コンデンサ１０４は第１のリード線１０３ａおよび第２のリード線１０３ｂと重なるように配置されている。コンデンサ１０４は、第１のリード線１０３ａおよび第２のリード線１０３ｂとコンデンサ１０４とが重なる方向から見て、第１のリード線１０３ａと第２のリード線１０３ｂとに渡って形成されている。
【００３２】
端子１０５はコンデンサ１０４に電気的に接続されている。端子１０５は、第１の端子１０５ａと第２の端子１０５ｂとを有している。第１の端子１０５ａと第２の端子１０５ｂとは互いに並行に配置されている。第１の端子１０５ａと第２の端子１０５ｂとの間に仕切り部ＷＰが配置されている。
【００３３】
電線１０６は、内部空間ＩＳでリード線１０３に電気的に接続され、ケース１０１の外側に突出している。電線１０６は、第１の電線１０６ａと第２の電線１０６ｂとを有している。第１の電線１０６ａと第２の電線１０６ｂとは互いに並行に配置されている。第１の電線１０６ａと第２の電線１０６ｂとの間に仕切り部ＷＰが配置されている。第１の電線１０６ａおよび第２の電線１０６ｂは挿通部１０１ｃからケース１０１の外側に延びている。
【００３４】
接続金具１０７は、第１の接続金具１０７ａと第２の接続金具１０７ｂとを有している。第１の第１のリード線１０３ａと、第１の端子１０５ａと、第１の電線１０６ａとはそれぞれ第１の接続金具１０７ａに接続されている。第２のリード線１０３ｂと、第２の端子１０５ｂと、第２の電線１０６ｂとはそれぞれ第２の接続金具１０７ｂに接続されている。これにより、光学的火炎検知素子１０２と、リード線１０３と、コンデンサ１０４と、端子１０５と、電線１０６とが互いに電気的に接続されている。なお、第１のリード線１０３ａと、第２のリード線１０３ｂと、第１の端子１０５ａと、第２の端子１０５ｂとはそれぞれ第１の接続金具１０７ａおよび第２の接続金具１０７ｂにかしめにより接続されていてもよい。また、コンデンサ１０４は、第１の端子１０５ａ、第１の接続金具１０７ａ、第１のリード線１０３ａおよび第２の端子１０５ｂ、第２の接続金具１０７ｂ、第２のリード線１０３ｂにより光学的火炎検知素子１０２に電気的に並列に接続されている。なお、リード線１０３および端子１０５と接続端子１０７とははんだ付けにより電気的に接続されていてもよい。
【００３５】
図４および図５を参照して、コンデンサ１０４はリード線１０３に対して斜めに配置されている。コンデンサ１０４は端子１０５と略同じ角度でリード線１０３に対して傾斜している。端子１０５は電線１０６に対して斜めに接続されている。
【００３６】
コンデンサ１０４は、リード線１０３と隙間ＧＰを設けて保持部１０１ｂに保持されている。保持部１０１ｂはリード線１０３よりも高い位置に配置されている。つまり、リード線１０３はケース１０１の外壁と保持部１０１ｂとの間に配置されている。これにより、保持部１０１ｂに保持されたコンデンサ１０４の表面とリード線１０３との間に隙間ＧＰが生じる。したがって、コンデンサ１０４の表面はリード線１０３に接触していない。
【００３７】
また、図６を参照して、本実施の形態の変形例に示すように、コンデンサ１０４とリード線１０３との隙間ＧＰには絶縁材ＩＰが配置されていてもよい。本実施の形態の変形例では、絶縁材ＩＰとして絶縁チューブが用いられている。具体的にはリード線１０３は絶縁チューブで被覆されている。
【００３８】
また、図１、図７および図８を参照して、本実施の形態の火炎検知装置では、クランプ部ＣＰが設けられている。なお、このクランプ部ＣＰは設けられていなくてもよい。
【００３９】
主に図１を参照して、クランプ部ＣＰはケース１０１の外側に設けられている。クランプ部ＣＰはケース１０１の軸方向の略中央に配置されている。クランプ部ＣＰは弾性によって電線１０６を挟み込んで固定可能に構成されている。クランプ部ＣＰは、Ｕ字状に形成されている。具体的には、クランプ部ＣＰは、ケース１０１の軸方向の一端側に開口を有しており、ケース１０１の軸方向の他端側で接続されている。この開口は電線１０６を挿入可能に構成されている。電線１０６はクランプ部ＣＰに挟み込まれている。
【００４０】
続いて、主に図７および図８を参照して、クランプ部ＣＰの構成をさらに詳しく説明する。クランプ部ＣＰは、連結部１１０と、第１の押さえ部１１１と、第２の押さえ部１１２とを含んでいる。第１の押さえ部１１１と第２の押さえ部１１２とは連結部１１０によって互いに対向するように接続されている。
【００４１】
第１の押さえ部１１１は、第１の延在部１１１ａと、第１の爪部１１１ｂとを有している。第１の延在部１１１ａはケース１０１の軸方向に沿って延在している。第１の爪部１１１ｂは第１の延在部１１１ａから第２の押さえ部１１２に向かって突出している。第２の押さえ部１１２は、第２の延在部１１２ａと、第２の爪部１１２ｂとを有している。第２の延在部１１２ａはケース１０１の軸方向に沿って延在している。第２の爪部１１２ｂは第２の延在部１１２ａから第１の押さえ部１１１に向かって突出している。第１の爪部１１１ｂは、第１の爪部１１１ｂが突出する方向において第２の爪部１１２ｂとずれて配置されている。つまり、第１の爪部１１１ｂは第２の爪部１１２ｂと上下にずれて配置されている。これにより、電線１０６は、第１の爪部１１１ｂと第２の爪部１１２ｂとの間に湾曲した状態で挟み込まれて固定される。
【００４２】
第１の爪部１１１ｂは、第１のテーパ部１１１ｃを有している。第１のテーパ部１１１ｃは、第１の延在部１１１ａ側から第２の爪部１１２ｂに向かって断面積が小さくなるように形成されている。第２の爪部１１２ｂは、第２のテーパ部１１２ｃを有している。第２のテーパ部１１２ｃは、第２の延在部１１２ａ側から第１の爪部１１１ｂに向かって断面積が小さくなるように形成されている。第１のテーパ部１１１ｃは第２のテーパ部１１２ｃに対向するように形成されている。第１のテーパ部１１１ｃと第２のテーパ部１１２ｃとの間に電線１０６が斜めに挟み込まれている。これにより、電線１０６のずれを抑制することができる。
【００４３】
図９を参照して、火炎検知装置１００が対象物に取り付けられた状態で電線１０６はクランプ部ＣＰに挟み込まれて固定されている。また、火炎検知装置１００はネジ３００で被対象物に固定されている。具体的には、取付け部１０１ｆの２つの柱状部の間にネジ３００の軸部が挿入され、２つの柱状部にネジ３００の頭部が当接された状態でネジ締めされている。
【００４４】
次に、本実施の形態の火炎検知装置を備えた熱源機の構成について説明する。
図１０を参照して、本実施の形態の熱源機１は、ハウジング２と、燃焼装置３と、送風機４と、一次熱交換器５と、二次熱交換器６と、排気集合筒７と、消音器８と、中和器９と、配管１０と、給水配管１１、入水口１１ａと、給湯配管１２と、出湯口１２ａと、火炎検知装置１００とを主に有している。
【００４５】
ハウジング２は、一次熱交換器５、二次熱交換器６、排気集合筒７、消音器８、中和器９、配管１０、給水配管１１および給湯配管１２を内部に収容可能に構成されている。ハウジング２の前面に排気口ＥＰが設けられている。排気口ＥＰは一次熱交換器５によって顕熱が回収され、二次熱交換器６によって潜熱が回収された燃焼ガスをハウジング２の外部に排気可能に構成されている。また、ハウジング２の側面には給水のための入水口１１ａと給湯のための出湯口１２ａとが設けられている。
【００４６】
燃焼装置３は燃料を燃焼させて火炎を生じさせるためのものである。燃焼装置３は、一次熱交換器５および二次熱交換器６との間で熱交換を行なうための燃焼ガスを発生させて一次熱交換器５および二次熱交換器６に供給するためのものである。燃焼装置３は、図示しない燃料供給源から燃料配管を経由して供給されてきた灯油などの燃料を下向きに噴霧して燃焼させる逆燃式の装置である。具体的には燃焼装置３はたとえばガンタイプバーナである。
【００４７】
送風機４は、燃焼装置３に対して燃焼に必要な空気を供給するためのものである。送風機４は、燃焼装置３の上方から燃焼用空気を下向きに供給可能に構成されている。具体的には送風機４はたとえばファンである。
【００４８】
一次熱交換器５は顕熱回収型の熱交換器である。高温の燃焼ガスとの熱交換によって一次熱交換器５内の湯水が加熱される。二次熱交換器６は潜熱回収型の熱交換器である。一次熱交換器５で熱交換した後の燃焼ガスが二次熱交換器６へ通されることで二次熱交換器６内の水が予熱される。この過程で燃焼ガスの温度が６０℃程度まで下がることで、燃焼ガス中に含まれる水分が凝縮して潜熱を得ることができる。
【００４９】
一次熱交換器５の一方端と二次熱交換器６の一方端とは互いに配管１０によって接続されている。二次熱交換器６の他方端には給水配管１１が接続されており、一次熱交換器５の他方端には給湯配管１２が接続されている。一次熱交換器５は二次熱交換器６よりも燃焼装置３の近くに配置されている。
【００５０】
排気集合筒７および消音器８は一連に繋がった燃焼ガス流路を構成している。排気集合筒７は一次熱交換器５の下流側に位置している。消音器８は排気集合筒７の下流側に位置している。図中矢印で示すように、燃焼装置３で発生した燃焼ガスは、一次熱交換器５の周囲を通過して一次熱交換器５の水と熱交換した後、排気集合筒７を通って消音器８に送られる。消音器８に送られた燃焼ガスは、二次熱交換器６の周囲を通過して二次熱交換器６の水と熱交換した後、排気口ＥＰからハウジング２外に排出される。
【００５１】
上記のとおり二次熱交換器６において燃焼ガスの水蒸気を凝縮させる構造上、凝縮した水（ドレン）が発生するためドレンの排水が必要である。二次熱交換器６の下側に中和器９が配置されており、二次熱交換器６から中和器９にドレンが排水される。燃焼ガス中には窒素酸化物などが含まれるため、これがドレンに溶け込んでドレンは酸性となる。中和器９はこの酸性のドレンを中和するためのものである。中和器９内には酸性のドレンを中和するための中和剤が充填されている。中和器９で中和されたドレンは図示しない排水路を通ってハウジング２外に排出される。
【００５２】
入水口１１ａは給水配管１１に接続されており給水配管１１を経由して一次熱交換器５および二次熱交換器６に水を給水可能に構成されている。出湯口１２ａは給湯配管１２に接続されており一次熱交換器５および二次熱交換器６で温められた温水を給湯可能に構成されている。これにより、入水口１１ａから給水された水は、一次熱交換器５および二次熱交換器６を通過する際に燃焼ガスによって加熱されて出湯口１２ａから給湯される。
【００５３】
本実施の形態では、火炎検知装置１００は、燃焼装置３内の火炎を検知可能に構成されている。火炎検知装置１００は、火炎を検知可能に燃焼装置３に取り付けられている。
【００５４】
続いて、図１１を参照して、火炎検知装置１００が燃焼装置３に取り付けられた構成についてさらに詳しく説明する。なお、図１１においては、説明の便宜のため、燃焼装置３の一部が破断して示されている。
【００５５】
燃焼装置３は、一次空気筒３０と、燃料ノズル３１と、バーナコーン３２と、拡散板３３と、整流筒３４と、バーナケース３５と、点火器３６とを主に有している。一次空気筒３０内において燃料ノズル３１はバーナケース３５の上面に接続されている。一次空気筒３０内において燃料ノズル３１の先端の噴出口の近傍に点火器３６が配置されている。
【００５６】
一次空気筒３０、燃料ノズル３１、バーナコーン３２、整流筒３４、点火器３６はバーナケース３５の内部に配置されている。バーナケース３５は、上面と、側壁３５ａと、保持面（底面）３５ｂとを有している。火炎検知装置１００はバーナケース３５の側壁３５ａに取り付けられている。火炎検知装置１００の先端部はバーナケース３５の内部に配置されている。また、バーナケース３５の上面に送風機４がバーナケース３５の内部に送風可能に接続されている。
【００５７】
一次空気筒３０は、バーナケース３５の上面側から見て、燃料ノズル３１を同軸状に囲むように設けられている。一次空気筒３０はバーナコーン３２の上方に配置されている。一次空気筒３０は底部に向かって径が小さくなるように湾曲しており、底部に開口を有している。一次空気筒３０は、底部の開口を通って燃料ノズル３１から下向きに噴霧された燃料がバーナコーン３２の内側に供給されるように構成されている。
【００５８】
燃料ノズル３１は燃料を供給するためのものである。燃料ノズル３１は燃料配管１３に接続されており、燃料配管１３を介して図示しない燃料供給源と接続されている。燃料ノズル３１は燃料配管１３を経由して供給されてきた灯油などの燃料をバーナコーン３２の内側に向かって下向きに噴霧するように構成されている。
【００５９】
バーナコーン３２は燃料ノズル３１が燃料を供給する方向において燃料ノズル３１よりも前方に配置されている。本実施の形態の燃焼装置３は逆燃式であるためバーナコーン３２は燃料ノズル３１よりも下方に配置されている。バーナコーン３２は円筒状に形成されている。具体的にはバーナコーン３２は燃料ノズル３１側に配置された小径部と、小径部に対して燃料ノズル３１と反対側に配置された大径部とを有している。バーナコーン３２は第１の周壁部３２ａを有している。バーナコーン３２は第１の周壁部３２ａの内周側で燃料ノズル３１から供給された燃料を燃焼させて火炎を生じさせるためのものである。第１の周壁部３２ａには第１の貫通孔３２ｂが設けられている。具体的には、第１の貫通孔３２ｂは大径部に形成されている。第１の貫通孔３２ｂは複数個形成されている。複数の第１の貫通孔３２ｂはバーナコーン３２の周方向に略等間隔で配置されている。複数の第１の貫通孔３２ｂは略同じ高さに配置されている。なお、バーナコーン３２の小径部にも複数の貫通孔が形成されている。
【００６０】
拡散板３３はバーナケース３５の保持面３５ｂに取り付けられている。拡散板３３はバーナコーン３２の中心部を通って径方向に延びるように形成されている。拡散板３３はバーナコーン３２の径方向の一部を遮るように形成されている。この拡散板３３によって火炎が分けられて火炎の渦が発生する。これにより、火炎の均一化が実現される。また拡散板３３は火炎が一次熱交換器５に達するのを防ぐこともできる。
【００６１】
整流筒３４はバーナケース３５の周囲に空気を流すためのものである。整流筒３４は円筒状に形成されている。整流筒３４は第２の周壁部３４ａを有している。第２の周壁部３４ａには第２の貫通孔３４ｂが設けられている。整流筒３４は、第１の貫通孔３２ｂに第２の貫通孔３４ｂが重なるように第１の周壁部３２ａの外周側に第１の周壁部３２ａと間隔をあけてバーナコーン３２と同軸上に配置されている。
【００６２】
バーナケース３５はバーナコーン３２および整流筒３４を収容するように構成されている。側壁３５ａは第２の周壁部３４ａの外周側に第２の周壁部３４ａと間隔をあけて配置されている。
【００６３】
火炎検知装置１００は、第１の周壁部３２ａの外周側に配置されている。火炎検知装置１００は第１の貫通孔３２ｂおよび第２の貫通孔３４ｂから火炎を検知可能に構成されている。火炎検知装置１００は、バーナコーン３２の外周側に位置し、バーナコーン３２の内周側の火炎を検知するように構成されている。火炎検知装置１００は燃焼装置３の上下方向に直交する方向にバーナコーン３２の内側に向けて配置されている。火炎検知装置１００は、燃料ノズル３１、バーナコーン３２および整流筒３４の同軸に対して直交するように配置されていてもよい。
【００６４】
次に、本実施の形態の火炎検知装置１００が燃焼装置３の火炎を検知する様子について説明する。
【００６５】
図１２を参照して、送風機４から空気がバーナケース３５内に供給される。この空気の一部は一次空気筒３０内に図示しない導入口を通って導入される。またこの空気の別の一部は整流筒３４に導入され、その一部はバーナコーン３２の小径部の複数の貫通孔および大径部の複数の第１の貫通孔３２ｂからバーナコーン３２内に導入される。残りの空気はバーナケース３５と整流筒３４との間を流れる。一次空気筒３０内に入った空気は燃料ノズル３１側へ流れ、燃料ノズル３１から下方へ噴霧された燃料と一緒に一次空気筒３０の底部の開口からバーナコーン３２内へ送り込まれる。
【００６６】
この燃料が点火器３６によって着火され、バーナコーン３２内で燃焼する。つまり、バーナコーン３２内において、燃料の噴霧方向（図中矢印Ａ方向）に拡散火炎が発生する。この図中矢印Ａ方向は、燃料ノズル３１、バーナコーン３２、整流筒３４の同軸方向である。火炎検知装置１００は、第１の貫通孔３２ｂおよび第２の貫通孔３４ｂを通して、バーナコーン３２内の火炎を検知する。火炎検知装置１００は、図中矢印Ａ方向に延びる火炎と交差する図中矢印Ｂ方向に火炎を検知する。このように火炎検知装置１００により燃焼装置３の火炎が検知されることによって燃焼装置３の燃焼の有無が検知される。
【００６７】
次に、本実施の形態の作用効果について説明する。
本実施の形態の火炎検知装置１００によれば、コンデンサ１０４は内部空間ＩＳにおいてリード線１０３と隙間ＧＰを設けて保持部１０１ｂに保持されているため、コンデンサ１０４の表面に結露が生じてもコンデンサ１０４の表面に付着した結露水によって第１のリード線１０３ａと第２のリード線１０３ｂとの間においてショートが発生することを抑制することができる。
【００６８】
本実施の形態の火炎検知装置１００の変形例では、隙間ＧＰに配置された絶縁材ＩＰを備えているため、絶縁材ＩＰによりコンデンサ１０４と第１のリード線１０３ａおよび第２のリード線１０３ｂとが絶縁される。これにより、コンデンサ１０４の表面に付着した結露水によって第１のリード線１０３ａと第２のリード線１０３ｂとの間においてショートが発生することを防止することができる。
【００６９】
本実施の形態の火炎検知装置１００はケース１０１の外側に設けられたクランプ部ＣＰを備えており、電線１０６はクランプ部ＣＰに挟み込まれている。このため、ケース１０１の外側に設けられたクランプ部ＣＰによって電線１０６を固定することができる。クランプ部ＣＰに電線１０６を挟み込むことにより、電線１０６が燃焼装置３の高温部に接触して焼損することを防止できる。
【００７０】
本実施の形態の火炎検知装置１００においては、第１の爪部１１１ｂは、第１の爪部１１１ｂが突出する方向において第２の爪部１１２ｂとずれて配置されている。このため、第１の爪部１１１ｂと第２の爪部１１２ｂとの間に電線１０６が挟み込まれることにより、電線１０６をしっかりと固定することができる。
【００７１】
本実施の形態の熱源機１では火炎検知装置１００が火炎を検知可能に燃焼装置に取り付けられている。このため、コンデンサ１０４の表面に付着した結露水によって第１のリード線１０３ａと第２のリード線１０３ｂとの間においてショートが発生することを抑制することができる火炎検知装置１００を備えた熱源機１を得ることができる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
１  熱源機、２  ハウジング、３  燃焼装置、４  送風機、５  一次熱交換器、６  二次熱交換器、７  排気集合筒、８  消音器、９  中和器、１０  配管、１１  給水配管、１１ａ  入水口、１２  給湯配管、１２ａ  出湯口、１３  燃料配管、３０  一次空気筒、３１  燃料ノズル、３２  バーナコーン、３３  拡散板、３４  整流筒、３５  バーナケース、３６  点火器、１００  火炎検知装置、１０１  ケース、１０１ａ  開口部、１０１ｂ  保持部、１０１ｃ  挿通部、１０１ｄ  受け部、１０１ｅ  係止部、１０１ｆ  取付け部、１０２  光学的火炎検知素子、１０３  リード線、１０３ａ  第１のリード線、１０３ｂ  第２のリード線、１０４  コンデンサ、１０５  端子、１０５ａ  第１の端子、１０５ｂ  第２の端子、１０６  電線、１０７  接続金具、１０６ａ  第１の電線、１０６ｂ  第２の電線、１１０  連結部、１１１  第１の押さえ部、１１１ａ  第１の延在部、１１１ｂ  第１の爪部、１１１ｃ  第１のテーパ部、１１２  第２の押さえ部、１１２ａ  第２の延在部、１１２ｂ  第２の爪部、１１２ｃ  第２のテーパ部、ＣＰ  クランプ部、ＧＰ  隙間、ＩＰ  絶縁材、ＩＳ  内部空間。
【図１】
2016023811.tif 000003
【図２】
2016023811.tif 000004
【図３】
2016023811.tif 000005
【図４】
2016023811.tif 000006
【図５】
2016023811.tif 000007
【図６】
2016023811.tif 000008
【図７】
2016023811.tif 000009
【図８】
2016023811.tif 000010
【図９】
2016023811.tif 000011
【図１０】
2016023811.tif 000012
【図１１】
2016023811.tif 000013
【図１２】
2016023811.tif 000014